(57)【要約】【課題】  近視矯正用のレンズを光軸のやや下側から下を除き、軽量化を図った老眼鏡において、レンズを一層眼球へ接近させることによって、レンズの素材から除去できるガラスの量を多くして一層の軽量化を図ることである。【解決手段】  一端と他端とを左右の耳掛け蔓に連結されるレンズ枠の中央部に鼻当て具を設け、そのレンズ枠を鼻当て具の位置から耳掛け蔓の方向へ向かうに伴って後方へ向けて屈曲させる一方、視力矯正用のレンズを光軸のやや下側において略水平に切除して上縁を厚く下縁を薄く形成し、そのレンズを前記レンズ枠の顔面側に取り付けたものである。【選択図】図１
2009075463.tif 000002
【特許請求の範囲】
【請求項１】
一端と他端とを左右の耳掛け蔓に連結されるレンズ枠の中央部に鼻当て具を設け、そのレンズ枠を鼻当て具の位置から耳掛け蔓の方向へ向かうに伴って後方へ向けて屈曲させる一方、視力矯正用の凹レンズを光軸のやや下側において略水平に切除して上縁を厚く下縁を薄く形成し、そのレンズを前記レンズ枠の顔面側に取り付けてなる高齢者向け眼鏡。
【請求項２】
請求項１において、前記レンズ枠は断面円形の線材である高齢者向け眼鏡。
【請求項３】
請求項２において、断面円形の線材の直径は、１．０ミリメートルから１．５ミリメートルの範囲内である高齢者向け眼鏡。
【請求項４】
請求項１において、前記レンズ枠とレンズとは、個々のレンズの上部２カ所において着脱可能に結着されている高齢者向け眼鏡。
【請求項５】
請求項１において、前記レンズ枠には中央部に鼻当て具を支持する逆Ｕ字形の支持金具と、前記レンズを支持するためのナット金具とが溶接されている高齢者向け眼鏡。
【請求項６】
請求項１において、視力矯正用の凹レンズを光軸のやや下側とは、１．０ミリメートルから２．５ミリメートルの範囲内の下側において略水平に切除した高齢者向け眼鏡。
【発明の詳細な説明】
【技術分野】
【０００１】
本発明は、近視用に矯正されたレンズを用い、そのレンズの下部を大きく切除して、レンズの下方から近距離の書物を裸眼で見ることができるようにした老眼鏡の改良に関する。
【背景技術】
【０００２】
一般に、近視の人は遠方を見るために矯正された眼鏡を用いるが、近視の人は高齢に至っても新聞や書物を裸眼で見ることのできる人が少なくない。そこで、レンズの下部を大きく切除して、レンズの下側から近距離のものを裸眼で見るのに有利な構成をもつ近距離直視用の近視用眼鏡が知られている（特許文献１参照）。
【０００３】
しかし、レンズの下部を削除した老眼鏡では、裸眼で見ることのできる範囲を拡げるにはレンズの下面が光軸の至近距離まで削除させるのが好ましいが、当然に遠くを見る近視用の視野が狭まる。
【０００４】
この近視用の視野が狭まる傾向を最小限にするためには、図２で示すように、左右のレンズを顔の輪郭に沿わせて中央部が角度θ°だけ前方に出るように（以下、単に鼻高の角度という）傾斜させるのが好ましい（特許文献１参照）。
【０００５】
しかしながら、レンズを鼻高の角度に設定,しようとすると、レンズの外端部と耳との距離が近くなってしまい、市販されている標準の耳かけ用の蔓の利用が難しくなる。
【特許文献１】特公平８−７３３４号公報
【発明の開示】
【発明が解決しようとする課題】
【０００６】
解決しようとする問題点は、眼鏡のレンズ枠や耳掛け用の蔓などの従来から慣用されている長さや形状を大きく変更することなく、レンズを眼球に接近させて保持するレンズ枠を得ることである。
【課題を解決するための手段】
【０００７】
本発明は、一端と他端とを左右の耳掛け蔓に連結されるレンズ枠の中央部に鼻当て具を設け、そのレンズ枠を鼻当て具の位置から耳掛け蔓の方向へ向かうに伴って後方へ向けて屈曲させる一方、視力矯正用の凹レンズを光軸のやや下側において略水平に切除して上縁を厚く下縁を薄く形成し、そのレンズを前記レンズ枠の顔面側に取り付けたことを最も主要な特徴とする。
【０００８】
そして詳しくは、前記レンズ枠は断面円形の線材で線材の直径は、１．０ミリメートルから１．５ミリメートルの範囲内であることが望ましく、前記レンズ枠とレンズとは、個々のレンズの上部２カ所において着脱可能に結着されていることが望ましく、前記レンズ枠には中央部に鼻当て具を支持する逆Ｕ字形の支持金具と、前記レンズを支持するためのナット金具とが溶接されていることが望ましく、前記視力矯正用の凹レンズを光軸のやや下側とは、１．０ミリメートルから２．５ミリメートルの範囲内の下側において略水平に切除することが望ましい。
【発明の効果】
【０００９】
本発明に係る高齢者向け眼鏡によれば、レンズがレンズ枠の顔面側に支持されるので、レンズを従来に比して一層、眼球に接近させて支持することができ、近視レンズの下部を一層大きく切除することが可能となり、レンズを通して見ることのできる視界を狭めることなく、裸眼で見ることのできる下方の視野を拡げることができる。
【００１０】
また、眼鏡がレンズを下にして机上におかれたときでも、眼鏡がレンズ枠とレンズの下縁とによって支えられるため、レンズの球面と机との接触が下縁部だけに止まり、レンズの視野となる球面の部分を傷つけることがなくなる。
【００１１】
さらに、レンズ枠の製造に際しては、既存の耳掛け蔓、あるいはその蔓を製造するための線材である素材を流用あるいは転用できるので、新しい眼鏡を生産するに際して新たな設備投資が最少で足りる。
【００１２】
レンズ枠には中央部に鼻当て具を支持する逆Ｕ字形の支持金具と、前記レンズを支持するためのナット金具とが溶接されているとレンズとレンズ枠とが接触することもなく軽くて強固な眼鏡となる。などの効果がある。
【実施例１】
【００１３】
以下、図面によって、本願発明の実施例を説明する。図１中、１０は本願発明の実施である高齢者向け眼鏡である。高齢者向け眼鏡１０はレンズ支持枠１２を有し、そのレンズ支持枠１２はステンレス材を主としチタンやタングステンなど軽量で強い材料で作られた細い線材を、所要の形状に成形して、必要に応じて表面にメッキ処理をして作られている。
【００１４】
前記レンズ支持枠１２には、従来のレンズ支持枠と同様に、両端部に耳掛け蔓１４との連結金具１２ａと、中央部に鼻当て具１２ｂとが溶着されている。なお、これらの金具と耳掛け蔓１４とは、従来から慣用されているものと大差がないので、詳細な説明は省略する。
【００１５】
２０はレンズであり、近視矯正用の凹レンズである。レンズ２０は、図５で示すように、一般的な近視矯正用のレンズ３０の光軸３２より１．５ミリメートル下側の部分を、水平に切り取った形状をしており、その下縁２０ａの隅角部２０ｃをデサイン上の必要に応じて円弧状に面取りしてある。
【００１６】
なお、一般に近視矯正用のレンズ及び近乱視矯正用のレンズにはレンズの表面と裏面が球面に近似した特殊な非球面曲面が使用され、かつ屈折率の大きい樹脂材を用いてレンズの厚みを極力薄くして収差を生じないように工夫しているが、この発明とは直接的な関係がないので、明細書中では特に差し支えない限り単に球面として説明する。
【００１７】
レンズ２０は上記のように、光軸のやや下方で水平に切除されているから、レンズ素材の焦点位置より下方の肉厚の大きい部分が切除されて、下縁が薄いレンズとなっている。そして、厚肉の大きい部分が残された上縁２０ｂの近傍に水平方向に２個のボルト孔２０ｄ、２０ｄが穿設され、後述するビス１６によって前記レンズ支持枠１２に螺着してあるので、レンズ２０は焦点のやや下側から下が切除され軽量化されているにも拘わらず、取り付け強度の低下が回避されている。
【００１８】
前記レンズ支持枠１２とレンズ２０との連結は、図３で示すように、レンズ支持枠１２の顔面側に前記ボルト孔２０ｄ、２０ｄに対応する位置に、補強ボス１２ｃを肉盛りしてねじ孔１２ｄを設ける一方、予め、ビス１６にクッション材１８ａや緩み止めワッシャ１８ｂを嵌めておき、それを前記レンズ２０に設けたボルト孔２０ｄを通してねじ孔１２ｄへねじ込んで固定する。ビス１６とねじ孔１２ｄとは底当てして止まるようクッション材１８ａや緩み止めワッシャ１８ｂを加味してビス１６の長さを１本ずつ調節する事が大切である。クッション材１８ａや緩み止めワッシャ１８ｂは
硬質透明樹脂製にすると違和感が無い。
【００１９】
かくて、組み立てられた高齢者向け眼鏡１０は、従来の老眼用眼鏡と同様に、凹レンズ２０を光軸の僅かに下方の位置で水平に下部を切除するとともに、鼻当て具１２ｂから連結金具１２ａへかけて後方へ傾斜させて支持しているから、下側を切除したとき顔面の側方下側から遠方が視野に入る現象を回避できるものであるにも拘わらず、近視矯正用のレンズ２０を、レンズ支持枠１２の顔面側に取り付けるから顔面と眼球との距離が接近し、前記レンズの傾斜が少なくても、前記顔面の側方下側から遠方が視野に入る現象を回避できる。
【００２０】
また、高齢者向け眼鏡１０の不使用時には、耳掛け蔓１４を従来と同様に、顔面側に折り畳むから、耳掛け蔓１４を下にして机上に置いたときに、レンズ２０の球面を傷付けることがない上に、レンズ２０側を下にして机上に置いたときも、前記レンズ支持枠１２とレンズ２０の上縁２０ｂが机上に接し、光軸３２付近が机上に接してレンズ２０の球面に傷の付くおそれがなくなる。
【００２１】
レンズ枠の線材は太すぎると目障りであり、細すぎると剛性を欠く。目障りと言ったが瞳孔より細い線なら少し暗くなるだけで不自由なく見えるのである。金網を目に近づけて景色を見たのと同じと考えて差し支えない。だからと言って、わざわざ、目の前にレンズ枠を持ってくることはないが、従来のレンズ枠のように見えなくなるような事はない。個々のレンズの上部２カ所において着脱可能に結着しておく事で十分な強度が得られ７年間緩み無く実用に耐えている。
【図面の簡単な説明】
【００２２】
【図１】本願発明の一実施例である老眼鏡の正面図である。
【図２】その平面図である。
【図３】図１中のＩＩＩ−ＩＩＩ拡大断面図である。
【図４】図２中のＩＶ−ＩＶ拡大断面図である。
【図５】従来のレンズと本発明のレンズとを対比して示すレンズの正面図である。
【符号の説明】
【００２３】
１０    高齢者向け眼鏡
１２    レンズ支持枠
１２ａ    連結金具
１２ｂ    鼻当て具
１２ｃ    補強ボス
１２ｄ    ねじ孔
１４    耳掛け蔓
１６    ビス
１８ａ    クッション材
１８ｂ    緩み止めワッシャ
２０    レンズ
２０ａ    下縁
２０ｂ    上縁
２０ｃ    隅角部
２０ｄ    ボルト孔
３０    近視矯正用のレンズ
３２    光軸
【図１】
2009075463.tif 000003
【図２】
2009075463.tif 000004
【図３】
2009075463.tif 000005
【図４】
2009075463.tif 000006
【図５】
2009075463.tif 000007